(57)【要約】      （修正有）【課題】鍵盤操作時や楽音発生時に鍵ユニットと電子回路基板との間で接触音の発生を防止することができる鍵盤装置を提供する。【解決手段】鍵である黒鍵５ｃまたは白鍵６ｃ、７ｃと黒鍵５ｃまたは白鍵６ｃ、７ｃを支持する基部である黒鍵基部、三音用白鍵基部又は四音用白鍵基部を樹脂で一体に形成した鍵ユニット１１が固定手段であるビス１０によって電子回路基板３に固定される鍵盤装置１において、鍵ユニット１１を電子回路基板３に仮固定する仮固定部材である係合部８と突出部９とが四音用白鍵基部に設けられ、係合部８と突出部９とによって電子回路基板３に仮固定された鍵ユニット１１が、ビス１０によって電子回路基板３に本固定されると、係合部８及び突出部９と電子回路基板３との間に隙間が生じるように構成される。【選択図】図５
2016130808.tif 000002
【特許請求の範囲】
【請求項１】
鍵と前記鍵を支持する基部とを樹脂で一体に形成した鍵ユニットが固定手段によって電子回路基板に固定される鍵盤装置において、
前記鍵ユニットを前記電子回路基板に仮固定する仮固定部材が前記基部に設けられ、
前記仮固定部材によって前記電子回路基板に仮固定された前記鍵ユニットが、固定手段によって前記電子回路基板に本固定されると、前記仮固定部材と前記電子回路基板との間に隙間が生じるように構成される鍵盤装置。
【請求項２】
前記仮固定部材が係合部と突出部とから構成され、
前記固定手段よりも前記鍵から離間した位置に前記係合部が設けられ、前記固定手段よりも前記鍵に近接した位置に前記突出部が設けられる請求項１に記載の鍵盤装置。
【請求項３】
前記鍵ユニットが前記電子回路基板に本固定されると、前記係合部のうち仮固定時に前記電子回路基板に接触する係合面が前記電子回路基板の板面に対して傾斜するように形成される請求項１または請求項２に記載の鍵盤装置。
【請求項４】
前記鍵を支持する基部に位置決め部材が設けられ、
前記位置決め部材によって前記電子回路基板に対する前記鍵ユニットの前記固定手段による固定方向とは異なる方向の位置が合わせられる請求項１から請求項３のいずれか一項に記載の鍵盤装置。
【発明の詳細な説明】
【技術分野】
【０００１】
本発明は鍵盤装置に関する。詳しくは、鍵ユニットが電子回路基板に配置されている鍵盤装置に関する。
【背景技術】
【０００２】
従来、複数の黒鍵が樹脂により一体に成形されている黒鍵ユニットと、複数の白鍵が樹脂により一体に成形されている白鍵ユニットとを重ね合わせた鍵ユニットを鍵フレームに複数固定した鍵盤装置が知られている。鍵ユニットには、黒鍵ユニットと白鍵ユニットとを組み合わせた状態で鍵フレームに容易に取り付けられるように鍵ユニットを鍵フレームに仮固定するための仮固定部材（突起）が設けられている。また、鍵フレームには、鍵ユニットの突起が挿入される挿入孔が形成されている。例えば、特許文献１に記載の如くである。
【０００３】
特許文献１に記載の鍵盤装置は、鍵フレームの挿入孔に鍵ユニットの突起が挿入されることで鍵フレームに対する鍵ユニットの位置を合わせつつ、鍵ユニットが鍵フレームに仮固定される。鍵ユニットは、仮固定された状態でビス等により鍵フレームに本固定される。つまり、鍵ユニットは、仮固定のために用いた突起と鍵フレームとが接触した状態で鍵フレームに本固定されている。このため、鍵盤装置は、鍵操作による鍵ユニットや鍵フレームのたわみやスピーカーからの振動や音圧により鍵ユニットの突起と鍵フレームとが接触して接触音が発生する場合があった。
【先行技術文献】
【特許文献】
【０００４】
【特許文献１】特開平１１−２７２２６１号公報
【発明の概要】
【発明が解決しようとする課題】
【０００５】
本発明は以上の如き状況に鑑みてなされたものであり、鍵盤操作時や楽音発生時に鍵ユニットと電子回路基板との間で接触音の発生を防止することができる鍵盤装置の提供を目的とする。
【課題を解決するための手段】
【０００６】
即ち、本発明においては、鍵と前記鍵を支持する基部とを樹脂で一体に形成した鍵ユニットが固定手段によって電子回路基板に固定される鍵盤装置において、前記鍵ユニットを前記電子回路基板に仮固定する仮固定部材が前記基部に設けられ、前記仮固定部材によって前記電子回路基板に仮固定された前記鍵ユニットが、固定手段によって前記電子回路基板に本固定されると、前記仮固定部材と前記電子回路基板との間に隙間が生じるように構成されるものである。
【０００７】
本発明においては、前記仮固定部材が係合部と突出部とから構成され、前記固定手段よりも前記鍵から離間した位置に前記係合部が設けられ、前記固定手段よりも前記鍵に近接した位置に前記突出部が設けられるものである。
【０００８】
本発明においては、前記鍵ユニットが前記電子回路基板に本固定されると、前記係合部のうち仮固定時に前記電子回路基板に接触する係合面が前記電子回路基板の板面に対して傾斜するように形成されるものである。
【０００９】
本発明においては、前記鍵を支持する基部に位置決め部材が設けられ、前記位置決め部材によって前記電子回路基板に対する前記鍵ユニットの前記固定手段による固定方向とは異なる方向の位置が合わせられるものである。
【発明の効果】
【００１０】
本発明によれば、鍵ユニットが固定されると仮固定部材と電子回路基板とが接触することがない。これにより、鍵盤操作時や楽音発生時に鍵ユニットと電子回路基板との間で接触音の発生を防止することができる。
【００１１】
本発明によれば、係合部が鍵操作による鍵ユニットのたわみの影響を受けにくい。これにより、鍵盤操作時や楽音発生時に鍵ユニットと電子回路基板との間で接触音の発生を防止することができる。
【００１２】
本発明によれば、係合面が電子回路基板から離間するように形成されているので電子回路基板にたわみが生じても電子回路基板に接触しにくい。これにより、鍵盤操作時や楽音発生時に鍵ユニットと電子回路基板との間で接触音の発生を防止することができる。
【００１３】
本発明によれば、仮固定部材が電子回路基板に対して適切に配置される。これにより、鍵盤操作時や楽音発生時に鍵ユニットと電子回路基板との間で接触音の発生を防止することができる。
【図面の簡単な説明】
【００１４】
【図１】（ａ）本発明に係る鍵盤装置の全体構成を示す斜視図（ｂ）同じく鍵盤装置の動作態様を示す側面図。
【図２】本発明に係る鍵盤装置の一実施形態における構成を示す分解斜視図。
【図３】（ａ）本発明に係る鍵盤装置の一実施形態における固定側の部分断面側面図（ｂ）同じく平面図。
【図４】（ａ）本発明に係る鍵盤装置の一実施形態における鍵ユニットの取り付け工程での鍵ユニットの配置を示す部分断面側面図（ｂ）同じく鍵ユニットの仮固定部材を構成する突出部を電子回路基板の仮固定用挿入孔に挿入させる態様を示す部分断面側面図（ｃ）同じく鍵ユニットの位置決め部材を電子回路基板の嵌合孔に挿入させる態様を示す部分断面側面図（ｄ）同じく鍵ユニットの仮固定部材を構成する係合部を電子回路基板の縁に係合させる態様を示す部分断面側面図。
【図５】（ａ）本発明に係る鍵盤装置の一実施形態における鍵ユニットが仮固定部材によって電子回路基板に仮固定されている状態を部分拡大断面図（ｂ）同じく鍵ユニットが固定手段によって電子回路基板に本固定されている状態を部分拡大断面図。
【図６】本発明に係る鍵盤装置の一実施形態における鍵ユニットの仮固定部材を構成する突出部と仮固定用挿入孔との隙間を示す部分拡大平面図。
【発明を実施するための形態】
【００１５】
以下に、図１から図３を用いて、本発明の一実施形態に係る鍵盤装置１について説明する。鍵盤装置１は、本実施形態において電子鍵盤楽器の鍵盤装置である。
図１（ａ）に示すように、鍵盤装置１は、フレーム２、電子回路基板３、鍵操作検出部材４、鍵ユニット１１（五つの黒鍵５ｃからなる黒鍵ユニット５、三つの白鍵６ｃからなる三音用白鍵ユニット６および四つの白鍵７ｃからなる四音用白鍵ユニット７）を具備する。鍵盤装置１は、電子回路基板３上に鍵ユニット１１が複数配置されている。鍵ユニット１１は、電子回路基板３側から四音用白鍵ユニット７、三音用白鍵ユニット６、黒鍵ユニット５の順に重ね合わされて構成されている。図１（ｂ）に示すように、鍵盤装置１は、黒鍵５ｃまたは白鍵６ｃ・７ｃが操作者により押圧されると、操作された黒鍵５ｃまたは白鍵６ｃ・７ｃに対応する鍵操作検出部材４が圧縮変形され、黒鍵５ｃまたは白鍵６ｃ・７ｃの操作に対する信号が伝達されるように構成されている。
【００１６】
図１（ｂ）と図２とに示すように、電子回路基板３は、スペーサー２ａを介してフレーム２に固定されている。電子回路基板３は、黒鍵５ｃまたは白鍵６ｃ・７ｃの操作を検出する信号を伝達する図示しない回路が構成されている。電子回路基板３の回路には、図示しない固定側接点が設けられている。電子回路基板３の回路は、固定側接点に鍵操作検出部材４の図示しない可動側接点が接触することで信号が伝達される状態（入り状態）に切り替わる。電子回路基板３には、嵌合部である嵌合孔３ａと本固定用ネジ孔３ｄとが形成されている。また、電子回路基板３には、仮固定用挿入孔３ｂが形成されている。仮固定用挿入孔３ｂは、黒鍵５ｃまたは白鍵６ｃ・７ｃの配列方向に直交する方向を長手方向とする略長方形状に形成されている。嵌合孔３ａ、仮固定用挿入孔３ｂおよび本固定用ネジ孔３ｄは、一つの四音用白鍵ユニット７に対して所定の間隔をあけてそれぞれ二つ配置されている。
【００１７】
鍵操作検出部材４は、黒鍵５ｃまたは白鍵６ｃ・７ｃの操作を検出する信号を伝達可能にするものである。鍵操作検出部材４は、シリコンゴム等の弾性部材がドーム状に形成され、図示しない可動側接点が設けられている。鍵操作検出部材４は、黒鍵５ｃおよび白鍵６ｃ・７ｃ毎に設けられ、対応する黒鍵５ｃまたは白鍵６ｃ・７ｃによって押圧可能な状態で電子回路基板３に固定されている。鍵操作検出部材４は、対応する黒鍵５ｃまたは白鍵６ｃ・７ｃの押圧操作により可動側接点が電子回路基板３の固定側接点に接触するように構成されている。また、鍵操作検出部材４は、鍵盤装置１に鍵ユニット１１が仮固定された際、鍵ユニット１１を電子回路基板３から離間する方向に付勢する高さに形成されている。
【００１８】
黒鍵ユニット５は、黒鍵基部５ａと、ヒンジ部５ｂと、五つの黒鍵５ｃ（Ｃ＃、Ｄ＃、Ｆ＃、Ｇ＃、Ａ＃の各音に対応する黒鍵５ｃ）とが樹脂によって一体に形成されたものである。黒鍵基部５ａは、略長方形の板状に形成されている。黒鍵基部５ａの三音用白鍵ユニット６側の平面には、黒鍵基部５ａの長手方向に沿って溝部５ｆが形成されるとともに、棒状突出部５ｇが形成されている。黒鍵基部５ａの一方の長辺側端部には、仮固定部材を構成する係合部８が形成されている。係合部８は、黒鍵基部５ａの三音用白鍵ユニット６側の平面に対して略垂直に三音用白鍵ユニット６側へ向かって延伸するように形成されている。係合部８は、黒鍵基部５ａの長手方向の一側と他側とにそれぞれ一つ形成されている。係合部８の先端には、係合面８ａが形成されている（図１（ｂ）参照）。係合面８ａは、係合部８から下がる傾斜面に形成されている。つまり、係合面８ａは、電子回路基板３の板面に対して離間する方向に傾斜されている。係合部８は、黒鍵ユニット５を三音用白鍵ユニット６と四音用白鍵ユニット７とに重ね合わせた状態で電子回路基板３に配置する際に電子回路基板３の縁に係合面８ａが接触するように構成されている。
【００１９】
ヒンジ部５ｂは、弾性変形により黒鍵５ｃを押圧操作が可能な状態にするものである。ヒンジ部５ｂは、薄板状に形成され、黒鍵基部５ａの他方の長辺側端部に設けられている。各ヒンジ部５ｂには、黒鍵５ｃが形成されている。すなわち、黒鍵ユニット５は、ヒンジ部５ｂを介して黒鍵基部５ａに五つの黒鍵５ｃが支持されている。五つの黒鍵５ｃには、それぞれ黒鍵５ｃの回動範囲を規制する鍵ストッパ５ｈが形成されている。鍵ストッパ５ｈは、黒鍵５ｃが押圧操作されていない場合、電子回路基板３に設けられている上限ストッパ３ｃに接触し、黒鍵５ｃが押圧操作されている場合、フレーム２の下限ストッパ２ｂに接触するように構成されている。
【００２０】
三音用白鍵ユニット６は、三音用白鍵基部６ａと、ヒンジ部６ｂと、三つの白鍵６ｃ（Ｄ、Ｆ、Ａの各音に対応する白鍵）とが樹脂によって一体に形成されたものである。三音用白鍵ユニット６と後述の四音用白鍵ユニット７とは、黒鍵ユニット５とほぼ同様の構成であるため、既に説明した実施形態と同様の点に関してはその具体的説明を省略し、相違する部分を中心に説明する。三音用白鍵基部６ａの黒鍵ユニット５側の平面には、黒鍵ユニット５の溝部５ｆに嵌合可能な形状の矩形突出部６ｄが形成されるとともに、黒鍵ユニット５の棒状突出部５ｇが嵌合可能な形状の嵌合孔６ｅが形成されている。三音用白鍵基部６ａの四音用白鍵ユニット７側の平面には、三音用白鍵基部６ａの長手方向に沿って溝部６ｆが形成されるとともに、棒状突出部６ｇが形成されている。なお、三音用白鍵ユニット６には、仮固定部材は形成されていない。
【００２１】
四音用白鍵ユニット７は、四音用白鍵基部７ａと、ヒンジ部７ｂと、四つの白鍵７ｃ（Ｃ、Ｅ、Ｇ、Ｂの各音に対応する白鍵）とが樹脂によって一体に形成されたものである。四音用白鍵基部７ａの三音用白鍵ユニット６側の平面には、三音用白鍵ユニット６の溝部６ｆに嵌合可能な形状の矩形突出部７ｄが形成されるとともに、三音用白鍵ユニット６の棒状突出部６ｇが嵌合可能な形状の嵌合孔７ｅが形成されている。四音用白鍵基部７ａの電子回路基板３側の平面には、略棒状の位置決め部材７ｊが形成されている。位置決め部材７ｊは、四音用白鍵基部７ａの長手方向両端部にそれぞれ一つ形成されている。なお、本実施形態において、四音用白鍵ユニット７には、位置決め部材７ｊが二つ形成されている構成としたがこれに限定されるものではない。また、四音用白鍵基部７ａの一方の長辺側端部には、仮固定部材を構成する突出部９が形成されている（図１（ｂ）参照）。突出部９は、四音用白鍵基部７ａの平面に対して略垂直に電子回路基板３側へ向かって延伸するように形成されている。突出部９は、四音用白鍵ユニット７に黒鍵ユニット５と三音用白鍵ユニット６とを重ね合わせた状態において、黒鍵ユニット５の係合部８に対向するように四音用白鍵基部７ａに形成されている。突出部９の位置決め部材７ｊ側の側面には、摺動面９ａが形成されている。突出部９は、黒鍵ユニット５と三音用白鍵ユニット６と四音用白鍵ユニット７とを重ね合わせた状態で電子回路基板３に配置する際に、仮固定用挿入孔３ｂの縁に摺動面９ａが接触するように構成されている。
【００２２】
黒鍵ユニット５は、三音用白鍵ユニット６に重ねられている。この際、黒鍵ユニット５の溝部５ｆは、三音用白鍵ユニット６の矩形突出部６ｄが嵌合されている。また、黒鍵ユニット５の棒状突出部５ｇは、三音用白鍵ユニット６の嵌合孔６ｅに嵌合されている。同様にして、三音用白鍵ユニット６は、四音用白鍵ユニット７に重ねられている。このようにして、黒鍵ユニット５と三音用白鍵ユニット６と四音用白鍵ユニット７とは、互いの位置を合わせた状態で重ねられて１オクターブの鍵ユニット１１を構成している。
【００２３】
図３（ａ）と図３（ｂ）とに示すように、複数の鍵ユニット１１は、黒鍵５ｃまたは白鍵６ｃ・７ｃの配列方向に隣り合うようにして固定手段であるビス１０が電子回路基板３の本固定用ネジ孔３ｄにねじ込まれることよって電子回路基板３に本固定される。この際、複数の鍵ユニット１１は、位置決め部材７ｊによって電子回路基板３に対する位置が決定され、かつ仮固定部材である係合部８と突出部９とによって電子回路基板３に仮固定されている。従って、鍵ユニット１１は、黒鍵ユニット５、三音用白鍵ユニット６および四音用白鍵ユニット７が重ね合わされた状態でも容易にビス１０によって電子回路基板３に本固定することができる。
【００２４】
以下に、図４から図６を用いて、鍵盤装置１において、黒鍵ユニット５、三音用白鍵ユニット６および四音用白鍵ユニット７が重ね合わされた状態である鍵ユニット１１が電子回路基板３に本固定されるまでの態様を具体的に説明する。
初めに、図４（ａ）に示すように、鍵ユニット１１は、黒鍵５ｃおよび白鍵６ｃ・７ｃ側が電子回路基板３側に近接した状態で電子回路基板３の鍵操作検出部材４が固定されている板面側に配置される。この際、鍵ユニット１１は、黒鍵５ｃおよび白鍵６ｃ・７ｃの鍵ストッパ５ｈ・６ｈ・７ｈがフレーム２に設けられている下限ストッパ２ｂと電子回路基板３に設けられている上限ストッパ３ｃとの間に入るように配置される。
【００２５】
次に、図４（ｂ）に示すように、鍵ユニット１１は、鍵ストッパ５ｈ・６ｈ・７ｈが上限ストッパ３ｃに接触した状態で四音用白鍵基部７ａが電子回路基板３に近接するように回動される（図４（ａ）の黒塗り矢印参照）。これにより、四音用白鍵ユニット７に設けられている突出部９は、電子回路基板３の仮固定用挿入孔３ｂに挿入される。この際、鍵ユニット１１は、鍵操作検出部材４を押圧しながら電子回路基板３に近接するように回動される。しかし、鍵ユニット１１は、鍵ストッパ５ｈ・６ｈ・７ｈが上限ストッパ３ｃに接触した状態で回動されているので必要以上に鍵操作検出部材４を押圧して鍵操作検出部材４を押し潰すことがない。また、突出部９は、摺動面９ａが仮固定用挿入孔３ｂの縁に接触した状態で仮固定用挿入孔３ｂに挿入される。従って、鍵ユニット１１は、突出部９の摺動面９ａに沿って回動される。
【００２６】
図４（ｃ）に示すように、鍵ユニット１１は、回動により突出部９の仮固定用挿入孔３ｂへの挿入量が所定量に達すると、四音用白鍵ユニット７に設けられている位置決め部材７ｊの先端部が電子回路基板３の嵌合孔３ａに挿入される（図４（ｂ）の黒塗り矢印参照）。合わせて、黒鍵ユニット５に設けられている係合部８は、その先端が電子回路基板３の縁に接触して弾性変形される。この際、位置決め部材７ｊは、突出部９によって嵌合孔３ａに案内されている。従って、鍵ユニット１１は、位置決め部材７ｊの嵌合孔３ａへの挿入が容易に行われる。鍵ユニット１１は、位置決め部材７ｊによって電子回路基板３の板面に沿う方向に対する位置が合わせられる。これにより、突出部９は、仮固定用挿入孔３ｂにおいて短辺方向の略中央に配置される。突出部９の幅Ｗ０は、仮固定用挿入孔３ｂの短辺間の幅Ｗ１・Ｗ２よりも小さく形成されている（図６参照）。すなわち、突出部９は、鍵ユニット１１の回動によって摺動面９ａのみが仮固定用挿入孔３ｂの縁に接触している。
【００２７】
図４（ｄ）に示すように、鍵ユニット１１は、さらなる回動により係合部８が電子回路基板３の縁に係合される（図４（ｃ）の黒塗り矢印参照）。係合部８の係合面８ａは、電子回路基板３に対して入り勝手になるように係合部８から下がる傾斜面に形成されている。従って、鍵ユニット１１は、係合部８によって電子回路基板３に容易に係合される。このようにして、鍵ユニット１１は、係合部８が電子回路基板３に係合され、突出部９が仮固定用挿入孔３ｂに挿入されることで電子回路基板３に仮固定される。
【００２８】
図５（ａ）に示すように、仮固定された鍵ユニット１１は、鍵操作検出部材４からの反力によって黒鍵５ｃおよび白鍵６ｃ・７ｃ側が電子回路基板３から離間する方向に持ち上げられている（黒塗り矢印参照）。この際、鍵ユニット１１は、係合部８と突出部９とによって鍵操作検出部材４からの反力を支持している。つまり、鍵ユニット１１は、電子回路基板３の縁と係合部８の係合面８ａとの接触、および仮固定用挿入孔３ｂの縁と突出部９の摺動面９ａとの接触によって鍵操作検出部材４からの反力を支持している。
【００２９】
図５（ｂ）に示すように、仮固定された鍵ユニット１１は、固定手段であるビス１０によって電子回路基板３に本固定される。つまり、鍵ユニット１１は、ビス１０のねじ込みによる押圧力によって電子回路基板３に近接する方向に回動される。これにより、係合部８の係合面８ａは、電子回路基板３の縁から離間する方向に移動し、電子回路基板３の縁と係合面８ａとの間に隙間Ｇ１が生じる。同様に、突出部９の摺動面９ａは、仮固定用挿入孔３ｂの縁から離間する方向に移動し、仮固定用挿入孔３ｂの縁と突出部９の摺動面９ａとの間に隙間Ｇ２が生じる。
【００３０】
ここで、図６に示すように、二つの位置決め部材７ｊのうち位置合わせの基準となる位置決め部材７ｊ（図６における丸形状の嵌合孔３ａに嵌合されている位置決め部材７ｊ）から離間している方の仮固定用挿入孔３ｂの短辺間の幅Ｗ２は、突出部９の挿入がより容易になるように、基準となる位置決め部材７ｊに近接している方の仮固定用挿入孔３ｂの短辺間の幅Ｗ１よりも広く構成されている。つまり、突出部９の仮固定用挿入孔３ｂの長辺と対向する側面と仮固定用挿入孔３ｂとの間の隙間は、位置決めの基準となる位置決め部材７ｊからの距離に応じて任意に設定される。
【００３１】
このように構成することで、鍵ユニット１１は、電子回路基板３の適切な位置で本固定された状態において仮固定部材である係合部８と突出部９とが電子回路基板３に接触することがない。また、黒鍵ユニット５は、電子回路基板３に固定されている黒鍵基部５ａを挟んで係合部８と黒鍵５ｃが形成されている。従って、係合部８が鍵操作による鍵ユニット１１のたわみの影響を受けにくい。さらに、係合部８の係合面８ａが電子回路基板３から離間するように傾いて形成されているので、検査や修理などの際に鍵ユニット１１を電子回路基板３から容易に取り外せるだけでなく電子回路基板３にたわみが生じても係合面８ａが電子回路基板３に接触しにくい。これにより、鍵盤装置１は、鍵盤操作時や楽音発生時に電子回路基板３と鍵ユニット１１との間で接触音の発生を防止することができる。
【００３２】
本発明に係る鍵盤装置１において、鍵ユニット１１は、上から黒鍵ユニット５、三音用白鍵ユニット６、四音用白鍵ユニット７の順に重ねられて構成されているがこれに限定されるものではない。また、黒鍵ユニット５、三音用白鍵ユニット６および四音用白鍵ユニット７を互いに嵌合させた状態で電子回路基板３に固定されているがこれに限定されるものではなく、互いにネジ等の締結部材に締結した状態で電子回路基板３に固定する構成でもよい。さらに、鍵盤ユニット１１は、ビス１０によって電子回路基板３に固定されているがこれに限定されるものではない。
本発明に係る鍵盤装置１において、電子回路基板３に三つの嵌合孔３ａと二つの仮固定用挿入孔３ｂとが形成されているが、嵌合孔３ａと仮固定用挿入孔３ｂの位置および数はこれに限定されるものではない。同様に、黒鍵ユニット５に形成される係合部８と四音用白鍵ユニット７に形成される突出部９との位置および数は本実施形態おける位置および数に限定されるものではない。
本発明に係る鍵盤装置１において、係合部８は黒鍵ユニット５に一体に形成され、突出部９は四音用白鍵ユニット７に一体に形成されているがこれに限定されるものではなく、黒鍵ユニット５と係合部８、および四音用白鍵ユニット７と突出部９がそれぞれ別体に形成されてもよい。また、係合部８は、電子回路基板３の縁に係合されているがこれに限定されるものではなく、電子回路基板３に形成された係合用孔に係合する構成でもよい。係合部８ａは、係合部８から下がる傾斜面に形成されているがこれに限定されるものではなく、電子回路基板３に対して平行に形成されていてもよい。突出部９は、仮固定用挿入孔３ｂの縁を摺動するように構成されているがこれに限定されるものではなく電子回路基板３の縁を摺動する構成でもよい。
【００３３】
なお、本発明に係る鍵盤装置１は、電子鍵盤楽器に適用した実施形態として説明したがこれに限定されるものではなく、鍵ユニット１１等の操作子と電子回路基板３とを具備する装置であればよい。また、上述の実施形態は、本発明の代表的な形態を示したに過ぎず、本発明の骨子を逸脱しない範囲で種々変形して実施することができる。
【符号の説明】
【００３４】
１  鍵盤装置、３  電子回路基板、５ａ  黒鍵基部、５ｃ  黒鍵、６ａ  三音用白鍵基部、６ｃ  白鍵、７ａ  四音用白鍵基部、７ｃ  白鍵、８  係合部、９  突出部、１０  ビス、１１  鍵ユニット
【図１】
2016130808.tif 000003
【図２】
2016130808.tif 000004
【図３】
2016130808.tif 000005
【図４】
2016130808.tif 000006
【図５】
2016130808.tif 000007
【図６】
2016130808.tif 000008